(57)【要約】      （修正有）【課題】閉鎖要素を支持バッキング条片に保持することが可能となり、それにより閉鎖要素とそれに組み合わせた支持バッキング条片との間の分離の危険性を完全に解消する。【解決手段】支持バッキング条片２２０および相補的閉鎖要素２４２をそれぞれ備える２つの相補的ジッパー要素を有する閉鎖アセンブリに関し、これらの閉鎖要素の少なくとも一方が、それに組み合わせた支持バッキング条片２２０で少なくとも部分的に包囲されている広がったソールプレート２４６を備える。【選択図】図４
2006298487.tif 000002
【特許請求の範囲】
【請求項１】
支持バッキング条片(２２０)および相補的閉鎖要素(２４２)をそれぞれ備える２つの相補的ジッパー要素を有する閉鎖アセンブリであって、これらの閉鎖要素の少なくとも一方が、それに組み合わせた支持バッキング条片(２２０)により少なくとも部分的に包囲されている広がったソールプレート(２４６)を備えることを特徴とする、閉鎖アセンブリ。
【請求項２】
閉鎖要素(２４２)が雄型要素、雌型要素またはフック構造物を含む群から選ばれることを特徴とする、請求項１に記載のアセンブリ。
【請求項３】
支持バッキング条片(２２０)と閉鎖要素(２４０)とが共押出されていることを特徴とする、請求項１または２に記載のアセンブリ。
【請求項４】
支持バッキング条片(２２０)と閉鎖要素(２４０)とが異なる材料で共押出されていることを特徴とする、請求項１〜３のいずれかに記載のアセンブリ。
【請求項５】
支持バッキング条片(２２０)と閉鎖要素(２４０)とが異なる色の材料で共押出されていることを特徴とする、請求項１〜４のいずれかに記載のアセンブリ。
【請求項６】
支持バッキング条片(２２０)と閉鎖要素(２４０)とが異なる可撓性の材料で共押出されていることを特徴とする、請求項１〜５のいずれかに記載のアセンブリ。
【請求項７】
支持バッキング条片(２２０)および閉鎖要素(２４０)がポリエチレン、ポリプロピレンおよびポリスチレンを含む群から選ばれることを特徴とする、請求項１〜６のいずれかに記載のアセンブリ。
【請求項８】
支持バッキング条片(２２０)および閉鎖要素(２４０)が、ポリエチレンとポリプロピレンまたはポリエチレンとポリスチレンからなる材料対から選ばれることを特徴とする、請求項１〜７のいずれかに記載のアセンブリ。
【請求項９】
フィルムと集成され、かつそれに固定されるための独立した閉鎖手段を構成することを特徴とする、請求項１〜８のいずれかに記載のアセンブリ。
【請求項１０】
製造中にフィルムに一体化されることを特徴とする、請求項１〜８のいずれかに記載の閉鎖アセンブリ。
【請求項１１】
ソールプレート(２４６)が閉鎖要素(２４２)を保持するロッド(２４４)に対して対称であることを特徴とする、請求項１〜１０のいずれかに記載のアセンブリ。
【請求項１２】
ソールプレート(２４６)が閉鎖要素(２４２)を保持するロッド(２４４)に対して非対称であることを特徴とする、請求項１〜１０のいずれかに記載のアセンブリ。
【請求項１３】
支持バッキング条片(２２０)の厚みがソールプレート(２４６)の位置で変化することを特徴とする、請求項１〜１２のいずれかに記載のアセンブリ。
【請求項１４】
支持バッキング条片(２２０)の厚みが閉鎖要素(２４０)のロッド(２４４)の近傍で増大することを特徴とする、請求項１３に記載のアセンブリ。
【請求項１５】
支持バッキング条片(２２０)と相補的ソールプレート(２４６)との間に挟み込まれた相補的構造を備えることを特徴とする請求項１〜１４のいずれかに記載のアセンブリ。
【請求項１６】
支持バッキング条片(２２０)がソールプレート(２４６)の相補的チャネル(２４７)内に係止する少なくとも１つの低いリッジ(２２２)を備えることを特徴とする、請求項１５に記載のアセンブリ。
【請求項１７】
支持バッキング条片(２２０)が、閉鎖要素のロッド(２４４)に隣接して、ソールプレート(２４６)に形成された相補的チャネル(２４７)内に係止する２つの低いリッジ(２２２)を備えることを特徴とする、請求項１５または１６に記載のアセンブリ。
【請求項１８】
ソールプレート(２４６)が、閉鎖要素(２４２)を設けた側の支持バッキング条片(２２０)の面(２２５)とは反対側の支持バッキング条片(２２０)の面(２２４)に露出していることを特徴とする、請求項１〜１７のいずれかに記載のアセンブリ。
【請求項１９】
支持バッキング条片(２２０)が、閉鎖要素(２４２)を設けた側の面とは反対側の面(２２４)上でソールプレート(２４６)を少なくとも部分的に被覆していることを特徴とする、請求項１８に記載のアセンブリ。
【請求項２０】
支持バッキング条片(２２０)がそれぞれ広がったソールプレート(２４６)を備えた複数の閉鎖要素(２４０)を有することを特徴とする、請求項１〜１９のいずれかに記載のアセンブリ。
【発明の詳細な説明】
【技術分野】
【０００１】
本発明は、袋の多数回の開閉を行うために設計された、閉鎖ジッパー要素の分野に関する。
【背景技術】
【０００２】
図１および２は公知の閉鎖ジッパー要素の例を示す。
これらの２図は、いずれも２つの相補的ジッパー要素２０、３０をもつ２種類の閉鎖アセンブリ１０をそれぞれ示している。
【０００３】
より正確には、これらのアセンブリ１０はいずれも、相補的閉鎖要素２４、３４を保持する支持バッキング条片２２、３２を備えた２つのジッパー要素２０、３０を有する。図１によると、これらの要素２４、３４は、相補的な雄／雌型の構造物から形成されている。図２によると、これらの要素２４、３４は相補的なフックから形成されている。
【０００４】
図１および２に示した種類の多くの閉鎖ジッパー要素がこれまでに提案された。
一般に、これらの閉鎖ジッパー要素は熱可塑性材料から作製された押出成形物である。
しかし、現在では、バッキング条片２０、３０と閉鎖要素２４、３４とが異なる材料から作製されたジッパー要素を意味する、２材料（バイ−マテリアル）閉鎖ジッパー要素が用途によっては望ましいことがわかっている。理論的には、それにより、例えば、バッキング条片２０、３０と付随する閉鎖要素２４、３４との間で色が異なるか、さらには可撓性（柔軟性）の程度が異なる閉鎖アセンブリを創出することが可能となるはずである。このために、添付の図３に雄／雌型の閉鎖要素２４、３４について略式に示すように、異なる材料から作製されたバッキング条片２０、３０と閉鎖要素２４、３４とを共押出する試みがなされた。
【０００５】
しかし、現在まで、これらの試みは完全なる満足を与えなかった。実際、これらの試みは、袋を引っ張って開ける時や、さらには単に袋内の圧力の作用だけでも、閉鎖要素２４、３４が支持バッキング条片２０、３０に対して離脱する危険性が永続的にある。
【発明の開示】
【０００６】
この点に関して、本発明は上記の既存の手段を改良することをその目的とする。
この目的は、本発明において、支持バッキング条片および相補的閉鎖要素をそれぞれ備える２つの相補的ジッパー要素を有する閉鎖アセンブリであって、これらの閉鎖要素の少なくとも一方が、それに組み合わせた支持バッキング条片で少なくとも部分的に包囲されている広がったソールプレートを備えることを特徴とする閉鎖アセンブリにより達成される。
【０００７】
当業者であれば、この配置により閉鎖要素を支持バッキング条片に保持することが可能となり、それにより閉鎖要素とそれに組み合わせた支持バッキング条片との間の分離の危険性が完全に解消されることを利用しよう。
【０００８】
本発明の他の特徴、目的および利点は、非制限的な例示として示す、添付図面を参照した以下の説明を読むと明らかとなろう。
【発明を実施するための最良の形態】
【０００９】
図４は、チャネル２４２を有する雌型の閉鎖要素２４０を備えた本発明に係る閉鎖ジッパー要素を示し、このチャネルの合流縁部は支持バッキング条片２２０の主面に略垂直のロッド２４４につながっている。本発明によると、ロッド２４４は、合流縁部を持つチャネル２４２とは反対側の端部に、バッキング条片２２０の本体内に埋め込まれた広がったソールプレート（底板）２４６を備える。換言すると、ソールプレート２４６はバッキング条片２２０の材料によって完全に包囲されている。このソールプレートは、バッキング条片２２０の厚みの中に形成されたキャビティの中に位置している。
【００１０】
好ましくは、図４に示したバッキング条片２２０とそれに組み合わせた閉鎖要素２４０は熱可塑性材料で共押出されている。
共押出の技術は当業者には周知である。従って、以下では詳しい説明はしない。
【００１１】
図５および６は、本発明に係る閉鎖ジッパー要素の創出に対する２つの変更例を示し、これらは図４に示したジッパー要素とは、閉鎖要素２４０が図５では雄型の要素２４２からなり、図６ではフック型の要素からなる点でのみ異なる。
【００１２】
図４〜６に示した変更例によると、ソールプレート２４６はロッド２４４の両側に対称的に配置されている。
他方、図７に示す変更例によると、ソールプレート２４６はロッド２４４に対して非対称である。より正確には、図７によると、ソールプレート２４６はロッド２４４の片側だけに設けられる。さらに別の変更例によると、図面を簡単にするように図示してはいないが、ソールプレート２４６はロッド２４４の両側に設けるが、その広がりの長さを両側で異なるものとしてもよい。
【００１３】
図８は別の変更実施態様を示し、それによると、支持バッキング条片２２０はソールプレート２４６の位置で厚みが変化する。より正確には、図８に示した変更実施態様では、バッキング条片２２０はロッド２４４の近傍で厚みが増している。この配置は支持バッキング条片２２０上の閉鎖要素２４０の保持を強化するために使用される。
【００１４】
図９に示したように、適当であれば、閉鎖要素２４０の保持を強化するため、バッキング条片２２０とソールプレート２４６との間にはさみこまれた相補的形状の構造を設けることができる。より正確には、図９に示した実施方法によると、少なくとも１つの低いリッジ２２２を支持バッキング条片２２０の材料中に注型により形成し、このリッジをソールプレート２４６に形成した相補的なチャネル２４７と係止させる。図９によると、２つのこのような平行なリッジ２２２が、それぞれロッド２４４の両側にロッドに隣接して設けられている。
【００１５】
図１０に示した変更実施態様によると、閉鎖要素２４２を保有するロッド２４４が突き出ている支持バッキング条片２２０の面２２５とは反対側のこの支持バッキング条片の面２２４上においてソールプレートは接近可能である（露出している）。
【００１６】
図１１も、ソールプレート２４６が閉鎖要素２４２とは反対側の支持バッキング条片の面２２４上に現れている変更例を示す。しかし、図１１に示した変更例では、支持バッキング条片２２０のこの面２２４のレベルにおいて、支持バッキング条片２２０の材料内に注型で形成されたリブ２２６によりソールプレート２４６は部分的に被覆されている。この配置は、ソールプレート２４６が支持バッキング条片２２０の面２２４から抜け出る危険性を解消するために使用される。
【００１７】
フック型の閉鎖要素について、図１２は、本発明が複数の閉鎖要素を並列に有する支持バッキング条片２２０にも適用できることを示している。
閉鎖要素の少なくとも一方が少なくとも部分的に支持バッキング条片の中に埋め込まれたソールプレートを備えるという本発明の特徴は、後で組立ててフィルムに固定されるための部品として閉鎖アセンブリ単独で製造する場合と、袋の設計のために、フィルム内に押出により直接一体化される閉鎖アセンブリの場合のいずれにも適用されることは理解されよう。
【００１８】
本発明は、特に、支持バッキング条片２２０と閉鎖要素２４０とが異なる熱可塑性材料から作製される閉鎖アセンブリに適用される。この配置は、例えば、色または可撓性（柔軟性）の程度が異なる支持バッキング条片２２０および組み合わされる閉鎖要素２４０を創出するために使用される。
【００１９】
これに関して、支持バッキング条片２２０および閉鎖要素２４０を構成する材料は、有利にはポリエチレン、ポリプロピレンおよびポリスチレンを含む群から選ばれる。
より正確そして好ましくは、本発明によると、前述した形態に合致する支持バッキング条片および組み合わせる閉鎖要素２４０は、ポリエチレンとポリプロピレン、またはポリエチレンとポリスチレンを含む材料対から選ばれることが好ましい。
【００２０】
図７〜１１に示した変更実施態様は、雌型の閉鎖要素２４２について示している。しかし、本発明は、この配置に制限されるものではない。図７〜１１に示した特徴ならびに図１２に示したものはいずれも、雌型、雄型もしくはフック型または任意の他の均等な形状のいずれであろうと任意のタイプの閉鎖要素２４２に容易に適用することができる。
【００２１】
また、本発明は前述しおよび添付図面に示した複数の特徴の任意の組み合わせをも包含する。
【図面の簡単な説明】
【００２２】
【図１】既存のデザインに係る閉鎖アセンブリを示す。
【図２】既存のデザインに係る閉鎖アセンブリを示す。
【図３】既存のデザインに係る閉鎖アセンブリを示す。
【図４】本発明に係る閉鎖ジッパー要素の断面図である。
【図５】本発明に係る閉鎖ジッパー要素の創出の変更例を示す。
【図６】本発明に係る閉鎖ジッパー要素の創出の変更例を示す。
【図７】本発明に係る閉鎖ジッパー要素の創出の変更例を示す。
【図８】本発明に係る閉鎖ジッパー要素の創出の変更例を示す。
【図９】本発明に係る閉鎖ジッパー要素の創出の変更例を示す。
【図１０】本発明に係る閉鎖ジッパー要素の創出の変更例を示す。
【図１１】本発明に係る閉鎖ジッパー要素の創出の変更例を示す。
【図１２】本発明に係る閉鎖ジッパー要素の創出の変更例を示す。
【図１】
2006298487.tif 000003
【図２】
2006298487.tif 000004
【図３】
2006298487.tif 000005
【図４】
2006298487.tif 000006
【図５】
2006298487.tif 000007
【図６】
2006298487.tif 000008
【図７】
2006298487.tif 000009
【図８】
2006298487.tif 000010
【図９】
2006298487.tif 000011
【図１０】
2006298487.tif 000012
【図１１】
2006298487.tif 000013
【図１２】
2006298487.tif 000014
【外国語明細書】
2006298487000001.pdf